(57)【要約】 【課題】第１の基板からのノイズを抑制するために第１の基板を板金で覆った構成では、第１の基板と第２の基板を効率的に冷却することが困難であった。【解決手段】画像形成装置１０１は、定着器１３と、定着器１３への商用電源の供給を制御するトライアック２０９と、トライアックが実装されたＡＣ入力回路基板２０２と、ＡＣ入力回路基板から商用電源の供給を受け、商用電源の電源電圧に基づいて直流電圧を生成して出力する電源基板２０１と、ＡＣ入力回路基板及び電源基板を同一平面上に支持する基板台シールド２０３と、電源基板を、空間を隔てて覆うように基板台シールドに固定されたノイズ遮蔽部材２０４と、電源基板を冷却する冷却ファン２０５とを備え、ノイズ遮蔽部材と基板台シールドは冷却ファンで生成された冷却気流の流入口と流出口を備えたダクトを形成し、トライアックは、ＡＣ入力回路基板におけるダクトの流出口よりも冷却気流の下流側に実装されている。【選択図】  図２
2020118722.tif 000002
【特許請求の範囲】
【請求項１】
商用電源の供給を受けて画像を形成するための処理を実行する負荷と、
前記負荷への商用電源の供給を制御する制御素子と、
前記制御素子が実装された第１の基板と、
前記第１の基板から商用電源の供給を受け、商用電源の電源電圧に基づいて所定の直流電圧を生成して出力する第２の基板と、
前記第１の基板および前記第２の基板を同一平面上に支持する第３の基板と、
前記第２の基板を、空間を隔てて覆うように前記第３の基板に固定されたノイズ遮蔽部材と、
前記第２の基板を冷却する冷却ファンと、を備え、
前記ノイズ遮蔽部材と前記第３の基板とは前記冷却ファンで生成された冷却気流が流入する流入口および前記冷却気流が流出する流出口を備えたダクトを形成し、前記制御素子は、前記第１の基板における前記ダクトの前記流出口よりも前記冷却気流の下流側に実装されていることを特徴とする画像形成装置。
【請求項２】
前記第１の基板と第２の基板は、前記第３の基板上に平行に配置されていることを特徴とする請求項１記載の画像形成装置。
【請求項３】
前記第１の基板と前記第２の基板は、それぞれ前記冷却気流の流通方向と平行に配置されていることを特徴とする請求項２記載の画像形成装置。
【請求項４】
前記第３の基板の前記冷却気流に対向する一辺及び当該一辺に隣接する一辺であって前記冷却気流を挟んで前記制御素子と対向する辺に、前記ダクトから流出した冷却気流が衝突する側壁が設けられていることを特徴とする請求項１乃至３の何れか１項に記載の画像形成装置。
【請求項５】
前記側壁は、それぞれ前記第３の基板の端部を折り曲げて形成されていることを特徴とする請求項４記載の画像形成装置。
【請求項６】
前記第１の基板はＡＣ出力コネクタを備え、前記第２の基板はＡＣ入力コネクタを備え、前記ＡＣ出力コネクタと前記ＡＣ入力コネクタは、それぞれ前記第１の基板と前記第２の基板との間の間隙を隔てて隣接するように配置されていることを特徴とする請求項１乃至５の何れか１項に記載の画像形成装置。
【請求項７】
前記ノイズ遮蔽部材における前記ＡＣ入力コネクタに対向する部分は、切欠されていることを特徴とする請求項６記載の画像形成装置。
【請求項８】
前記第１の基板は、ＡＣ入力回路基板であり、前記第２の基板は、電源基板であり、前記第３の基板は、基板台シールドであることを特徴とする請求項１乃至７の何れか１項に記載の画像形成装置。
【請求項９】
前記電源基板には、交流電源を直流電圧に変換するためのダイオードブリッジ、スイッチング素子、及びトランスが実装されていることを特徴とする請求項８記載の画像形成装置。
【発明の詳細な説明】
【技術分野】
【０００１】
本発明は、電源基板とＡＣ入力回路基板を備えた画像形成装置に関する。
【背景技術】
【０００２】
プリンタや複合機などの画像形成装置は、商用電源から電力の供給を受けるためのＡＣ入力回路基板を備えている。また、画像形成装置は、ＡＣ入力回路基板を介して供給された交流電圧を直流電圧に変換し、得られた直流電圧を各負荷や各基板へ供給する電源基板を備えている。電源基板とＡＣ入力回路基板とは、ＡＣ線によって接続されており、ノイズの観点からＡＣ線を短くするために電源基板は、ＡＣ入力回路基板の近くに配置されている。また、装置の小型化に伴ってスペースが制限される場合、電源基板とＡＣ入力回路基板は、同一平面上に並べて配置されることがある。
【０００３】
このような画像形成装置において、電源基板から発生するノイズを遮蔽するために、電源基板を箱状に構成された板金で覆い、電源基板とＡＣ入力回路基板との間を遮蔽する構成が採用されている。また、電源基板にはスイッチング素子やコイルなどの発熱量が大きい部材が実装されるので、これらの部材を冷却するためのファンが設置されている。例えば、特許文献１に示されるように、シールド用の板金に覆われた電源基板を冷却するために、電源基板を覆う板金の一部を側壁としたエアーダクトを設け、該エアーダクトを使用して電源基板を冷却する構成が知られている。
【先行技術文献】
【特許文献】
【０００４】
【特許文献１】特開２０１７−４４９８６号公報
【発明の概要】
【発明が解決しようとする課題】
【０００５】
一般に、画像形成装置においては、電源基板に発熱する電気部品が実装されているので、電源基板の近傍にＦＡＮを配置して基板全体を積極的に冷却する必要がある。また、例えば、電源基板の近傍に配置されるＡＣ入力回路基板にも発熱量の大きい電気部品が実装されているので、冷却する必要がある。
【０００６】
しかしながら、電源基板からのノイズを抑制するために当該電源基板を板金で覆い、その一部を側壁としたエアーダクトを設けた上記従来技術では、電源基板の近傍に配置されたＡＣ入力回路基板への風路が妨げられてしまうという問題がある。
【０００７】
すなわち、上記従来技術には、電源基板のノイズを抑制するシールド部材によって、電源基板と同一平面上に配置されたＡＣ入力回路基板に対する冷却用の風路が妨げられるので、ＡＣ入力回路基板を効率よく冷却できないという問題があった。
【０００８】
本発明は、電源基板からのノイズを抑制しつつ、電源基板とＡＣ入力回路基板を効率的に冷却することができる画像形成装置を提供することを目的とする。
【課題を解決するための手段】
【０００９】
上記課題を解決するために、請求項１記載の画像形成装置は、商用電源の供給を受けて画像を形成するための処理を実行する負荷と、前記負荷への商用電源の供給を制御する制御素子と、前記制御素子が実装された第１の基板と、前記第１の基板から商用電源の供給を受け、商用電源の電源電圧に基づいて所定の直流電圧を生成して出力する第２の基板と、前記第１の基板および前記第２の基板を同一平面上に支持する第３の基板と、前記第２の基板を、空間を隔てて覆うように前記第３の基板に固定されたノイズ遮蔽部材と、前記第２の基板を冷却する冷却ファンと、を備え、前記ノイズ遮蔽部材と前記第３の基板とは前記冷却ファンで生成された冷却気流が流入する流入口および前記冷却気流が流出する流出口を備えたダクトを形成し、前記制御素子は、前記第１の基板における前記ダクトの前記流出口よりも前記冷却気流の下流側に実装されていることを特徴とする。
【発明の効果】
【００１０】
本発明によれば、第１の基板からのノイズを抑制しつつ、第１の基板と第２の基板を効率的に冷却できる。
【図面の簡単な説明】
【００１１】
【図１】実施の形態に係る画像形成装置の概略構成を示す断面図である。
【図２】図１の画像形成装置の背面における基板配置を示す斜視図である。
【図３】図２の一部拡大図であって、ノイズ遮蔽部材を外した状態の基板配置を示す図である。
【図４】図３に対応する背面図であり、ノイズ遮蔽部材と制御素子の配置関係を示す図である。
【図５】図１の画像形成装置の左側面の背面側に設けられた冷却ファン方向から見た各種部材の配置関係を示す図である。
【図６】図４に対応する斜視図であり、冷却気流の流路を示す図である。
【発明を実施するための形態】
【００１２】
以下、実施の形態について図面を参照しつつ詳細に説明する。
【００１３】
図１は、実施の形態に係る画像形成装置の概略構成を示す断面図である。
【００１４】
図１において、画像形成装置１０１は、各色成分のトナー像を形成する４つのカートリッジＰａ、Ｐｂ、Ｐｃ、及びＰｄを備えている。４つのカートリッジＰａ、Ｐｂ、Ｐｃ、及びＰｄは、中間転写ベルト７の搬送方向に沿ってほぼ水平に配置されている。カートリッジＰａは、イエローのトナー像を形成し、カートリッジＰｂは、マゼンタのトナー像を形成し、カートリッジＰｃは、シアンのトナー像を形成し、カートリッジＰｄは、ブラックのトナー像を形成する。
【００１５】
画像形成装置１０１には、４つのカートリッジＰａ、Ｐｂ、Ｐｃ、及びＰｄに対応して４つのボトル装着部が設けられている。各ボトル装着部には、それぞれ、着脱可能なトナーボトルＴａ、Ｔｂ、Ｔｃ、及びＴｄが装着されている。トナーボトルＴａにはイエローのトナーが収容されており、トナーボトルＴｂにはマゼンタのトナーが収容されており、トナーボトルＴｃにはシアンのトナーが収容されており、トナーボトルＴｄにはブラックのトナーが収容されている。トナーボトルＴａ、Ｔｂ、Ｔｃ及びＴｄは、現像剤としてのトナーを収容する収容容器として機能する。
【００１６】
カートリッジＰａ、Ｐｂ、Ｐｃ、及びＰｄは、同様の構成であり、それぞれ画像形成装置１０１に対して着脱可能である。
【００１７】
カートリッジＰａ〜Ｐｄは、それぞれ感光ドラム１ａ〜１ｄと、感光ドラム１ａ〜１ｄを帯電する帯電器２ａ〜２ｄと、トナーを収容した現像器１００ａ〜１００ｄを有する。感光ドラム１ａ〜１ｄは、円柱状の金属ローラからなり、その表面に感光体の層を備えている。感光ドラム１ａ〜１ｄは、図１中、矢印Ａ方向に回転する。感光ドラム１ａ〜１ｄが帯電器２ａ〜２ｄによって帯電された後、レーザ露光装置３ａ〜３ｄが画像データに基づいて感光ドラム１ａ〜１ｄを露光する。これにより、感光ドラム１ａ〜１ｄ上に静電潜像が形成される。そして、現像器１００ａ〜１００ｄが感光ドラム１ａ〜１ｄ上の静電潜像をトナーを用いて現像する。これにより、感光ドラム１ａ〜１ｄ上に各色のトナー像が形成される。
【００１８】
現像器１００ａ〜１００ｄは、現像器１００ａ〜１００ｄ内に蓄積されるトナーの量を検知する透磁率センサ（図示省略）を備えている。透磁率センサにより現像器１００ａ〜１００ｄ内のトナー量が減少したことが検知された場合、対応するトナーボトルＴａ〜Ｔｄから現像器１００ａ〜１００ｄにそれぞれ対応する色のトナーが供給される。
【００１９】
中間転写ベルト７は、二次転写対向ローラ８、従動ローラ１７、第１テンションローラ１８、及び第２テンションローラ１９に掛け回されている。中間転写ベルト７は、二次転写対向ローラ８の回転駆動によって、図１中、矢印Ｂ方向に回転する。中間転写ベルト７を基準にして二次転写対向ローラ８の反対側には二次転写ローラ９が配設されている。二次転写対向ローラ８と二次転写ローラ９との当接部が二次転写ニップ部Ｔ２となる。
【００２０】
画像形成装置１０１は、感光ドラム１ａ〜１ｄ上のトナー像を中間転写ベルト７に転写する一次転写ローラ４ａ〜４ｄを備えている。感光ドラム１ａ〜１ｄと中間転写ベルト７とが一次転写ローラ４ａ〜４ｄに押圧されている一次転写ニップ部Ｔ１ａ〜Ｔ１ｄを、感光ドラム１上に形成されたトナー像が通過している間、一次転写ローラ４ａ〜４ｄには、それぞれ一次転写電圧が印加される。これによって、感光ドラム１ａ〜１ｄ上のトナー像が中間転写ベルト７に転写される。各感光ドラム１ａ〜１ｄに形成されたトナー像が中間転写ベルト７に重ねて転写されることによって、中間転写ベルト７にはフルカラーのトナー像が担持される。なお、感光ドラム１ａ〜１ｄに残留したトナーは、それぞれドラムクリーナ６ａ〜６ｄによって除去される。
【００２１】
一方、カセット部６０に格納された記録材Ｓを搬送する搬送路には、給紙ローラ（図示省略）、搬送ローラ対６１及びレジストレーションローラ対６２が配置されている。給紙ローラは、カセット部６０に格納された記録材Ｓの給紙を開始し、搬送ローラ対６１がレジストレーションローラ対６２に向けて記録材Ｓを搬送する。レジストレーションローラ対６２は、中間転写ベルト７上のトナー像が記録材Ｓ上の所望の位置に転写されるように、記録材Ｓを二次転写ニップ部Ｔ２に搬送するタイミングを調整する。
【００２２】
二次転写対向ローラ８に二次転写電圧が印加されることに応じて、二次転写対向ローラ８と中間転写ベルト７とが二次転写ローラ９に押圧されている二次転写ニップ部Ｔ２において、中間転写ベルト７上のトナー像が記録材Ｓに転写される。なお、二次転写ニップ部Ｔ２において記録材Ｓに転写されずに中間転写ベルト７上に残留したトナーは、ベルトクリーナ１１によって除去される。
【００２３】
トナー像が転写された記録材Ｓは、二次転写ニップ部Ｔ２から流出した後、定着器１３に搬入される。定着器１３は、ヒータを有する定着ローラと加圧ローラを備えている。ヒータの熱と、定着ローラと加圧ローラとの当接圧力とによって、記録材Ｓ上のトナー像が記録材Ｓに定着される。トナー像が定着された記録材Ｓは、定着器１３から排出され、排紙ローラ対６４によって画像形成装置１０１から排紙される。定着器１３は、商用電源の供給を受けて画像を形成するための定着処理を実行する負荷として機能する。
【００２４】
次に、画像形成装置１０１の背面側に配置された各種基板の配置関係について説明する。
【００２５】
図２は、図１の画像形成装置の背面における基板配置を示す斜視図である。
【００２６】
図２において、第１の基板としてのＡＣ入力回路基板２０２は商用電源２００から供給される交流電圧を商用電源用コネクタ２０８で受けて、第２の基板としての電源基板２０１や定着器１３（図１参照）のヒータに交流電圧を供給している。定着器１３のヒータは、交流電圧に基づいて発熱量が制御される。定着器１３のヒータへの交流電圧の供給はＡＣ入力回路基板２０２上に実装されるトライアック２０９によってＯＮ／ＯＦＦ制御される。制御素子としてのトライアック２０９は、発熱しやすい部材である。
【００２７】
ＡＣ入力回路基板２０２から電源基板２０１への交流電圧の供給は、ＡＣ入力回路基板２０２上のＡＣ出力コネクタ２０７より出力され、ＡＣ入力コネクタ２０６より電源基板２０１へ入力される。ＡＣ出力コネクタ２０７とＡＣ入力コネクタ２０６は、ＡＣ入力回路基板２０２と電源基板２０１との間隙を隔てて隣接するように配置されている。また、ＡＣ入力コネクタ２０６は、電源基板２０１における冷却ファン２０５の近傍に実装されている。交流電圧はＡＣ出力コネクタ２０７とＡＣ入力コネクタ２０６を接続しているＡＣケーブル２１４を経て供給される。
【００２８】
電源基板２０１は、ＡＣ入力回路基板２０２から供給される商用電源の電源電圧に基づいて交流電源を所定の直流電圧に変換し、生成した直流電圧を各負荷や各基板へ供給している。電源基板２０１は、例えば、制御基板２２０へ直流電圧を供給しており、直流電圧は、電源基板２０１上のＤＣ出力コネクタ２２１より出力され、ＤＣ入力コネクタ２２２より制御基板２２０に入力される。すなわち、直流電圧は、ＤＣ出力コネクタ２２１とＤＣ入力コネクタ２２２を接続しているＤＣケーブル２２３を介して電源基板２０１から制御基板２２０へ供給される。制御基板２２０は、画像形成装置１０１内に配置されたモータ等の負荷を制御し、各負荷に直流電圧を供給している。
【００２９】
ＡＣ入力回路基板２０２と電源基板２０１は、支持基板（第３の基板）としての板金製の基板台シールド２０３上にＺ軸に対して同一平面上に、かつ、基板上のＹ軸方向に上下平行に並べて配置されている。ＡＣ入力回路基板２０２と電源基板２０１は基板台シールド２０３に、例えば、ビスで固定されている。ＡＣ入力回路基板２０２と電源基板２０１は、ノイズの観点からＡＣケーブル２１４を短くするために近くに配置される。更には、画像形成装置１０１の小型化に伴い装置の奥行が制限されるので、例えば、上下に平行に並べて配置されている。
【００３０】
基板台シールド２０３の上側辺及び左側辺には、Ｚ軸方向に、例えば、垂直に突出する壁面が形成されている。すなわち、基板台シールド２０３は、該基板台シールド２０３の一辺、すなわち上側辺に上側壁２０３ａが形成され、基板台シールド２０３の他の一辺、すなわち左側辺に左側壁２０３ｂが形成された箱型のような形状をしている。基板台シールド２０３は、本体取り付け部２１６ａ、２１６ｂにより本体フレーム２１８に、例えば、ビスで固定されている。
【００３１】
基板台シールド２０３の左側壁２０３ｂ及び基板台シールド２０３の上側壁２０３ａは、それぞれ第一ワイヤサドル２２４と第二ワイヤサドル２２５を備えている。第一ワイヤサドル２２４と第二ワイヤサドル２２５は、ＤＣケーブル２２３を規制する役割をしている。
【００３２】
電源基板２０１は、ノイズ遮蔽部材であるスチール製の板金からなるノイズ遮蔽シールド２０４によって空間を隔てて覆われている。ノイズ遮蔽シールド２０４は、基板台シールド２０３に、例えば、ビスで固定されている。ノイズ遮蔽シールド２０４は、電源基板２０１を覆うために、例えば、断面コの字形状をしている。ノイズ遮蔽シールド２０４は、基板台シールド２０３に固定されることによって、平面状の基板台シールド２０３と、断面コの字状のノイズ遮蔽シールド２０４とで筒状のダクトを形成している。また、ノイズ遮蔽シールド２０４は、電源基板２０１を覆うことにより、ＡＣ入力回路基板２０２と電源基板２０１との間を有効に遮蔽している。このノイズ遮蔽シールド２０４によって、電源基板２０１から漏れ出る、例えば、スイッチングノイズがＡＣ入力回路基板２０２のＡＣラインに重畳することが抑制されている。
【００３３】
冷却ファン２０５（ＦＡＮ）は、電源基板２０１とＡＣ入力回路基板２０２とを冷却している。電源基板２０１には多くの発熱部材が実装されているので、冷却ファン２０５は、電源基板２０１を積極的に冷やすことを目的として、電源基板２０１寄りに取り付けられている。また、電源基板２０１を覆うノイズ遮蔽シールド２０４を基板台シールド２０３に固定して形成されたダクト（筒状体）は、冷却ファン２０５からの冷却気流（風）の流入口と流出口を有する。従って、ダクトは、エアーダクトとして機能する。冷却ファン２０５で発生し、ダクト内を流通する冷却気流によって、電源基板２０１に実装された発熱部材が効率的に冷却される。
【００３４】
図３は、図２の一部拡大図であって、ノイズ遮蔽部材を外した状態の基板配置を示す図である。
【００３５】
図３において、電源基板２０１は、代表的なフライバック方式のスイッチング電源である。電源基板２０１には、ＡＣ入力コネクタ２０６から入力された交流電源を直流電圧に変換するために必要なダイオードブリッジ２２７、スイッチング素子２１０、トランス２２６が実装されている。図３には、便宜上、コネクタと発熱しやすい実装部材のみを示したが、本来、電源基板２０１の実装部材は多数あり、それらのすべての実装部材によって電源基板２０１の機能を果たすことができる。電源基板２０１は、交流電圧を直流電圧に変換し、例えば＋２４Ｖの直流電圧を出力する。
【００３６】
ＡＣ入力回路基板２０２についても、図３にはコネクタや発熱しやすい実装部材のみが図示されている。ＡＣ入力回路基板２０２に実装されたトライアック２０９は、商用電源用コネクタ２０８から入力される交流電圧を定着器１３へ供給する際の電源のＯＮ／ＯＦＦを制御している。
【００３７】
電源基板２０１とＡＣ入力回路基板２０２は、基板台シールド２０３上にＺ軸方向に対して同一平面上に、かつ、Ｙ軸方向に上下平行に並べられており、２つの基板の間は必要な絶縁距離だけを離すようにして、例えば、ビス取めされている。
【００３８】
図４は、図３に対応する背面図であり、ノイズ遮蔽部材と制御素子の配置関係を示す図である。
【００３９】
図４において、ノイズ遮蔽部材としてのノイズ遮蔽シールド２０４は、電源基板２０１とＡＣ入力回路基板２０２の間に遮蔽板（板金）が入ることによってノイズを遮蔽している。ノイズ遮蔽シールド２０４は、作業性を考慮してＡＣ入力コネクタ２０６の実装付近までを遮蔽する構成になっている。すなわち、ノイズ遮蔽シールド２０４におけるＡＣ入力コネクタ２０６に対向する部分は、作業性を考慮して切欠されている。
【００４０】
ＡＣ入力回路基板２０２に実装されるトライアック２０９（制御素子）は、ノイズ遮蔽シールド２０４の端部、すなわちダクトの端部と距離Ｌだけ離して、ノイズ遮蔽シールド２０４よりもＸ軸方向（−）側に位置するよう配置されている。距離Ｌは、０ｍｍより大きく、例えば、６．０ｍｍである。距離Ｌを０ｍｍより大きくすることによって、冷却ファン２０５の冷却気流がトライアック２０９に当たって当該トライアック２０９を冷却する構成となっている。
【００４１】
なお、本実施の形態において、ノイズ遮蔽シールド２０４の端部から距離Ｌだけ離して実装される部材としてトライアック２０９を挙げて説明した。しかしながら、ノイズ遮蔽シールド２０４の端部から距離Ｌだけ離して実装される部材は、トライアック２０９に限定されるものではなく、ＡＣ入力回路基板２０２上に実装される発熱しやすい部材であれば、同様の位置に配置することが好ましい。この場合、実装部材は、１つの部材に限らず、複数であってもよい。
【００４２】
図５は、図１の画像形成装置の左側面の背面側に設けられた冷却ファン方向から見た各種部材の配置関係を示す図である。
【００４３】
図５において、冷却ファン２０５は電源基板２０１に向かって冷却気流を吹きつけるような向きに取り付けられており、電源基板２０１を積極的に冷却する構造となっている。基板台シールド２０３にノイズ遮蔽シールド２０４が取り付けられた状態において、２つの部材はダクトを形成している。これによって、冷却ファン２０５から吹き付けられる冷却気流は、該冷却気流の流通方向に対向するように設けられた基板台シールド２０３の左側壁２０３ｂまで到達する。これによって、冷却気流は、電源基板２０１の全体、すなわち電源基板２０１に実装された全ての部材を効率的に冷却する。
【００４４】
次に、基板台シールド２０３とノイズ遮蔽シールド２０４によって形成されたエアーダクト内を流れる冷却気流について詳細に説明する。
【００４５】
図６は、図４に対応する斜視図であり、冷却気流の流路を示す図である。
【００４６】
図６において、冷却ファン２０５から電源基板２０１に対して吹き付けられた冷却気流の向きが矢印で示されている。冷却ファン２０５から電源基板２０１に向かって吹き付けられた冷却気流は、基板台シールド２０３とノイズ遮蔽シールド２０４によって形成されるエアーダクトを通って基板台シールド２０３の左側壁２０３ｂに衝突する。基板台シールド２０３の左側壁２０３ｂに衝突した気流は、Ｙ軸（＋）の方向に基板台シールド２０３の上側壁２０３ａがあるために、Ｙ軸（−）の方向へ流れる。基板台シールド２０３の左側壁２０３ｂにあたって、Ｙ軸（−）方向に流れた冷却気流は、ノイズ遮蔽シールド２０４の端部に対して距離Ｌだけ離して実装されているトライアック２０９に当たり、該トライアック２０９を冷却する。
【００４７】
すなわち、冷却ファン２０５から電源基板２０１に向かって吹き付けられた冷却気流が電源基板２０１に実装された部材を効率的に冷却しながらも、ＡＣ入力回路基板２０２上の発熱部材であるトライアック２０９をも冷却する。これによって、１つの冷却ファン２０５で効率的に２つの基板に実装された部材を冷却することができる。
【００４８】
本実施の形態において、冷却ファン２０５で発生した冷却気流２１９ａは、例えば、風速５ｍ／ｓであり、例えば、ノイズ遮蔽シールド２０４がない場合、トライアック２０９付近の風速は、０．６ｍ／ｓ程度になってしまう。これに対して、基板台シールド２０３にノイズ遮蔽シールド２０４を取り付けてダクトを形成したことによって、トライアック２０９付近の冷却気流２１９ｃの風速は、例えば１．７ｍ／ｓとなる。すなわち、基板台シールド２０３にノイズ遮蔽シールド２０４を取り付けてダクトを形成したことによって、ＡＣ入力回路基板２０２上に配置されたトライアック２０９を冷却する冷却気流として、例えば、従来の約３倍の風速の冷却気流を確保することができる。
【００４９】
このように、本実施の形態では、基板台シールド２０３に、電源基板２０１を覆うようにノイズ遮蔽シールド２０４を取り付けたことによって、ＡＣ入力回路基板２０２上の発熱部材であるトライアック２０９にも冷却気流２１９ｃが当たる構成とした。これによって、無風状態では定格温度を超えてしまうような発熱部材であるトライアック２０９に対して、例えば、風速１．７ｍ／ｓの冷却気流を当てて定格温度を守ることができる。またこのとき、新たな昇温防止対策部材を追加する必要もない。
【００５０】
本実施の形態によれば、電源基板２０１とＡＣ入力回路基板２０２がＺ軸上で同一平面上に配置され、かつ、Ｙ軸方向に上下平行に並置される基板構成において、ノイズ遮蔽シールド２０４を電源基板２０１を冷却する際のエアーダクトの一部として活用できる。また、ＡＣ入力回路基板２０２上の発熱部材をノイズ遮蔽シールド２０４の端部開口部から距離Ｌだけ離して実装したことによって、冷却ファン２０５によって電源基板２０１を冷却するだけでなく、ＡＣ入力回路基板２０２上の発熱部材をも冷却することができる。しかも、この場合、冷却ファン２０５の台数やサイズを変更する必要もない。
【００５１】
本実施の形態において、ノイズ遮蔽部材と基板台シールドが冷却気流の流入口と流出口を備えたダクトを形成する構成、及びＡＣ入力回路基板の制御素子をダクトの気流の流出口よりも下流側に実装する構成は、画像形成装置に適用されている。しかしながら、このような構成は、ＡＣ入力回路基板２０２と電源基板２０１が同一平面上に並設され、電源基板２０１を遮蔽するノイズ遮蔽部材及び冷却ファン２０５を備えた装置であれば、画像形成装置以外の装置にも適用することができる。
【符号の説明】
【００５２】
２０１  電源基板
２０２  ＡＣ入力回路基板
２０３  基板台シールド（支持基板）
２０３ａ  上側壁
２０３ｂ  左側壁  
２０４  ノイズ遮蔽シールド（ノイズ遮蔽部材）
２０５  冷却ファン
２０６  ＡＣ入力コネクタ
２０７  ＡＣ出力コネクタ
２０８  商用電源用コネクタ
２０９  トライアック（制御素子）
２１０  スイッチング素子
２１４  ＡＣケーブル
２２０  制御基板
２２６  トランス
２２７  ブリッジダイオード
【図１】
2020118722.tif 000003
【図２】
2020118722.tif 000004
【図３】
2020118722.tif 000005
【図４】
2020118722.tif 000006
【図５】
2020118722.tif 000007
【図６】
2020118722.tif 000008